(57)【要約】通話中でもスピーディに骨伝導スピーカを用いた通話に切り替えることができる携帯端末装置。この装置では、上部筐体（１０１）は、段部（１０３）を逃げるための切り欠き部（１０６）が設けられている。取付部（１０７）は、切り欠き部（１０６）を挟むように設けられ、段部（１０３）内に設けられたヒンジと組み合わされて、上部筐体（１０１）を下部筐体（１０２）に対して回動して、折り畳むことができるように構成している。下部筐体（１０２）は、キーパッド（１１０）が設けられており、下部筐体（１０２）のパネル面（１１２）より一段高く形成された段部（１０３）が設けられている。段部（１０３）は、骨伝導スピーカ（１０４）を収納しているとともに、頂部に振動面（１０５）を有している。【特許請求の範囲】
【請求項１】
パネル面を有する第１の筐体と、
前記パネル面を覆う閉状態と、前記パネル面が外部に露出して前記パネル面に設けたキーパッドが使用可能になる開状態とになるように前記第１の筐体に対して可動可能に取り付けられる第２の筐体と、
前記開状態にて前記パネル面より突出するとともに前記閉状態にて前記第２の筐体より外部に突出するように前記第１の筐体に取り付けられ、受話信号に応じた振動を発生して骨導音による受話を可能にする振動面を有する骨伝導スピーカと、
を具備する携帯端末装置。
【請求項２】
音声により受話を行う受話器を具備し、
前記骨伝導スピーカは、前記受話器による受話の途中で骨導音による受話が可能である請求項１記載の携帯端末装置。
【発明の詳細な説明】
【技術分野】
【０００１】  本発明は、携帯端末装置に関し、特に、骨伝導スピーカを具備する携帯端末装置に関する。
【背景技術】
【０００２】  携帯端末装置は急速な普及に伴い、さまざまな環境下で使用されるとともに幅広い要求を持った人に使用されるようになってきている。このため、携帯端末装置には、従来以上に高機能化及び高性能化が要求されてきている。その一つが、通話時の受話性能の向上である。例えば、街中の雑踏や工事現場等の騒音の大きな環境下での通話においても支障がなく、又、難聴者にも快適に使用できる携帯端末装置が強く求められている。【０００３】  従来の携帯端末装置では、受話器に用いられているボイスコイルタイプのダイナミック型のスピーカの音圧を大きくしたり、発音する音孔形状を工夫するなどの対策がなされている。しかし、空気振動で伝達する方法には限界があり、このため、骨伝導スピーカの搭載が提案されている。骨伝導スピーカを搭載した電話機は、すでに固定電話では長い実績があり、近年では携帯端末装置でも採用されるようになってきている。その一例を図１に示す。【０００４】  図１において、１１は上部筐体、１２は上部筐体１１に配置された振動部、１３は下部筐体、１４はヒンジ、１５はサブ液晶表示装置である。振動部１２が、携帯端末装置内部に搭載された圧電体などの加振手段によって、受話信号に応じた振動を発生するようになっている。振動部１２を使用者の頭部の一部、例えば、頬骨などに当接させることによって、骨伝導によって通話相手が発話した音声の受話が可能になる。【０００５】  なお、骨伝導スピーカを用いた携帯端末装置としては、以下の特許文献１に示されたようなものが提案されている。
【特許文献１】特開２００３−３４８２０８号公報
【発明の開示】
【発明が解決しようとする課題】
【０００６】  しかしながら、従来の二つ折りタイプの携帯端末装置においては、骨伝導方式による受話を可能とするためには、端末の筐体を閉じた状態にする必要がある。したがって、端末の筐体を開いた状態で行う通常の受話状態から、骨伝導スピーカを用いた受話への移行が敏速にできないという問題がある。【０００７】  本発明の目的は、通話中でもスピーディに骨伝導スピーカを用いた通話に切り替えることができる携帯端末装置を提供することである。
【課題を解決するための手段】
【０００８】  本発明の携帯端末装置は、パネル面を有する第１の筐体と、前記パネル面を覆う閉状態と、前記パネル面に設けられたキーパッドが外部に露出して前記キーパッドが使用可能になる開状態になるように前記第１の筐体に対して可動可能に取り付けられる第２の筐体と、前記開状態にて前記パネル面より突出するとともに前記閉状態にて前記第２の筐体より外部に突出するように前記第１の筐体に取り付けられ、受話信号に応じた振動を発生して骨導音による受話を可能にする振動面を有する骨伝導スピーカと、を具備する構成を採る。
【発明の効果】
【０００９】  本発明によれば、通話中でもスピーディに骨伝導スピーカを用いた通話に切り替えることができる。
【図面の簡単な説明】
【００１０】
【図１】従来の携帯端末装置を示す斜視図
【図２】本発明の実施の形態に係る携帯端末装置の筐体を開いた状態を示す斜視図
【図３】本発明の実施の形態に係る携帯端末装置の筐体を閉じた状態を示す斜視図
【図４Ａ】本発明の実施の形態に係る携帯端末装置の使用状態を説明する図
【図４Ｂ】本発明の実施の形態に係る携帯端末装置の使用状態を説明する図
【図４Ｃ】本発明の実施の形態に係る携帯端末装置の使用状態を説明する図
【発明を実施するための最良の形態】
【００１１】  以下に、本発明の実施の形態について、図面を参照して詳細に説明する。【００１２】  図２〜図４Ｃは、本発明の一実施の形態に係る携帯端末装置の構成を示す図である。【００１３】  本発明の携帯端末装置は、例えば、ＰＤＣ（Ｐｅｒｓｏｎａｌ  Ｄｉｇｉｔａｌ  Ｃｅｌｌｕｌａｒ）方式のデジタル携帯端末装置であり、音声信号の送受信が可能であり、更に、文字や記号などのキャラクタデータの送受信が可能なものである。【００１４】  図２において、１０１は上部筐体（第２の筐体）、１０２はキーパッドが設けられている下部筐体（第１の筐体）、１０３は下部筐体１０２のパネル面より一段高く形成された段部であり、この段部１０３内には、下部筐体１０２に対して上部筐体１０１を折りたたみするための図示しないヒンジと骨伝導スピーカ１０４とが収納されている。１０５は段部１０３の頂部に設けた平らな振動面であり、この振動面１０５を加振するように、骨伝導スピーカ１０４が、段部１０３内に取り付けられている。そして、この振動面１０５を使用者の頬骨などに当接することで、骨導音による受話を行う。【００１５】  上部筐体１０１には、段部１０３を逃げるための切り欠き部１０６が設けられ、切り欠き部１０６を挟むように設けられた取付部１０７が、段部１０３内に設けられたヒンジと組み合わされて、上部筐体１０１を下部筐体１０２に対して回動して、折り畳むことができるように構成している。【００１６】  段部１０３の下部筐体１０２のパネル面１１２からの高さＨ１０３は、上部筐体１０１の厚みＨ１０１より大きくなっている。【００１７】  又、１０８は、上部筐体１０１に設けたメイン液晶表示装置、１０９は、上部筐体１０１に設けた受話器、１１０は、下部筐体１０２の上部表面であるパネル面１１２に露出するように設けたキーパッド、１１１は、下部筐体１０２に設けた送話器である。そして、受話器１０９を使用者の耳に当てることで、音声による受話を行う。【００１８】  本発明の携帯端末装置は、ヒンジを回転軸とし、上部筐体１０１と下部筐体１０２とが開閉することが可能な、所謂、二つ折り端末である。図２は、携帯端末装置の筐体を開いた状態、図３は、携帯端末装置の筐体を閉じた状態を示している。２０１は、上部筐体１０１の裏面に設けたサブ液晶表示装置である。【００１９】  本実施の形態で示した携帯端末装置は、図２と図３に示した通り、筐体の開状態、閉状態に関わらず、ヒンジを収納した段部１０３の振動面１０５が、外部に露出するとともに上部筐体１０１より上方に突出した構成となっている。【００２０】  段部１０３の振動面１０５には、振動体としての骨伝導スピーカ１０４が当接して設けられており、携帯端末装置の受話信号に応じて振動面１０５が振動するように構成されている。本発明では、振動体に、圧電素子を使用している。【００２１】  従って、携帯端末装置の振動面１０５を、例えば、通話者の頬骨などに当接することによって、骨伝導方式により受話が可能になる。【００２２】  次に、図４Ａ〜図４Ｃを用いて、携帯端末装置の使用形態について説明する。【００２３】  図４Ａは、通常の携帯端末装置と同様に、開状態において、受話器１０９を使用者の耳に当てて通話をおこなっている様子を示している。受話器１０９は、例えば、ボイスコイルを用いたダイナミック型であり、空気振動を発生させるものである。比較的静かな環境下では、このようなスタイルでの通話となる。【００２４】  図４Ｂは、開状態において、段部１０３に設けられた振動面１０５を、使用者の頬骨に当接させて、通話している状態を示している。このように、図４Ａとほとんど変わらないスタイルで、骨伝導スピーカ１０４を用いた受話が可能になる。これより、受話器１０９による受話の途中で、骨伝導スピーカ１０４を用いた骨導音による受話に切り替えることが可能になる。したがって、通話中に周囲の騒音が大きくなり、通常の受話器１０９による通話が困難になった時点で、直ちに骨伝導スピーカ１０４を用いた通話に切り替えることが可能である。【００２５】  図４Ｃは、携帯端末装置を閉じた閉状態で通話する場合を示している。この場合も、図４Ｂと同様に、骨伝導スピーカ１０４を用いた受話が可能である。【００２６】  このように、本発明の携帯端末装置によれば、骨伝導スピーカ１０４の振動面１０５を常に露出するように構成することで、筐体の開閉状態に制約されることなく、受話器１０９を用いた通話中でも、必要に応じて骨伝導による受話が可能になる。【００２７】  なお、上記説明では、振動体に圧電素子を使う例を示したが、受話信号に応じて振動させる骨伝導スピーカ１０４であれば、特に限定するものではなく、ボイスコイルなどの電磁駆動型のアクチュエータなどでも良い。また、ここでは回転軸が一つの二つ折り端末で説明したが、回転軸を二つ以上有するようなヒンジを搭載した携帯端末装置でもよい。【００２８】  又、段部１０３の高さは、上部筐体１０１の厚みより大であるようにしたが、これに限らず、振動面１０５が通話者の頬骨等に当接すれば、段部１０３の高さを、上部筐体１０１の厚みと同じに設定してもよい。【００２９】  このように、本実施の形態によれば、通話中でもスピーディに骨伝導スピーカを用いた通話に切り替えることが出来る。また、本実施の形態によれば、通常の通話している状態、及び通常の通話をしていない上部筐体と下部筐体とを折り畳んだ状態の両方において骨伝導スピーカを用いた通話を行うことができるので、使い勝手を向上させることができる。【００３０】  なお、本実施の形態において、上部筐体と下部筐体とをヒンジを介して回動させて折りたたむことにより、上部筐体と下部筐体とが図３のように重なり合うこととしたが、これに限らず、上部筐体を横方向にスライドさせる等により可動させて上部筐体と下部筐体とが重なり合うようにしても良い。また、本実施の形態において、段部１０３を逃げるために切り欠き部１０６を設けたが、これに限らず、段部１０３を逃げるための窓穴を設ける等、段部１０３を逃げるための任意の手段を用いることができる。【００３１】  本明細書は、２００４年１２月２日出願の特願２００４−３４９７８２に基づく。この内容はすべてここに含めておく。
【産業上の利用可能性】
【００３２】  本発明は、特に、折りたたみ可能な携帯端末装置に用いるのに好適である。
【図１】
2006059679.tif 000002
【図２】
2006059679.tif 000003
【図３】
2006059679.tif 000004
【図４Ａ】
2006059679.tif 000005
【図４Ｂ】
2006059679.tif 000006
【図４Ｃ】
2006059679.tif 000007
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
パネル面を有する第１の筐体と、
前記パネル面を覆う閉状態と、前記パネル面が外部に露出して前記パネル面に設けたキーパッドが使用可能になる開状態とになるように前記第１の筐体に対して可動可能に取り付けられる第２の筐体と、
前記開状態にて前記パネル面より突出するとともに前記閉状態にて前記第２の筐体より外部に突出するように前記第１の筐体に取り付けられ、受話信号に応じた振動を発生して骨導音による受話を可能にする振動面を有する骨伝導スピーカと、
を具備する携帯端末装置。
【請求項２】
音声により受話を行う受話器を具備し、
前記骨伝導スピーカは、前記受話器による受話の途中で骨導音による受話が可能である請求項１記載の携帯端末装置。
【手続補正２】
【補正対象書類名】明細書
【補正対象項目名】全文
【補正方法】変更
【補正の内容】
【発明の詳細な説明】
【技術分野】
【０００１】
本発明は、携帯端末装置に関し、特に、骨伝導スピーカを具備する携帯端末装置に関する。
【背景技術】
【０００２】
携帯端末装置は急速な普及に伴い、さまざまな環境下で使用されるとともに幅広い要求を持った人に使用されるようになってきている。このため、携帯端末装置には、従来以上に高機能化及び高性能化が要求されてきている。その一つが、通話時の受話性能の向上である。例えば、街中の雑踏や工事現場等の騒音の大きな環境下での通話においても支障がなく、又、難聴者にも快適に使用できる携帯端末装置が強く求められている。
【０００３】
従来の携帯端末装置では、受話器に用いられているボイスコイルタイプのダイナミック型のスピーカの音圧を大きくしたり、発音する音孔形状を工夫するなどの対策がなされている。しかし、空気振動で伝達する方法には限界があり、このため、骨伝導スピーカの搭載が提案されている。骨伝導スピーカを搭載した電話機は、すでに固定電話では長い実績があり、近年では携帯端末装置でも採用されるようになってきている。その一例を図１に示す。
【０００４】
図１において、１１は上部筐体、１２は上部筐体１１に配置された振動部、１３は下部筐体、１４はヒンジ、１５はサブ液晶表示装置である。振動部１２が、携帯端末装置内部に搭載された圧電体などの加振手段によって、受話信号に応じた振動を発生するようになっている。振動部１２を使用者の頭部の一部、例えば、頬骨などに当接させることによって、骨伝導によって通話相手が発話した音声の受話が可能になる。
【０００５】
なお、骨伝導スピーカを用いた携帯端末装置としては、以下の特許文献１に示されたようなものが提案されている。
【特許文献１】特開２００３―３４８２０８号公報
【発明の開示】
【発明が解決しようとする課題】
【０００６】
しかしながら、従来の二つ折りタイプの携帯端末装置においては、骨伝導方式による受話を可能とするためには、端末の筐体を閉じた状態にする必要がある。したがって、端末の筐体を開いた状態で行う通常の受話状態から、骨伝導スピーカを用いた受話への移行が敏速にできないという問題がある。
【０００７】
本発明の目的は、通話中でもスピーディに骨伝導スピーカを用いた通話に切り替えることができる携帯端末装置を提供することである。
【課題を解決するための手段】
【０００８】
本発明の携帯端末装置は、パネル面を有する第１の筐体と、前記パネル面を覆う閉状態と、前記パネル面に設けられたキーパッドが外部に露出して前記キーパッドが使用可能になる開状態になるように前記第１の筐体に対して可動可能に取り付けられる第２の筐体と、前記開状態にて前記パネル面より突出するとともに前記閉状態にて前記第２の筐体より外部に突出するように前記第１の筐体に取り付けられ、受話信号に応じた振動を発生して骨導音による受話を可能にする振動面を有する骨伝導スピーカと、を具備する構成を採る。
【発明の効果】
【０００９】
本発明によれば、通話中でもスピーディに骨伝導スピーカを用いた通話に切り替えることができる。
【発明を実施するための最良の形態】
【００１０】
以下に、本発明の実施の形態について、図面を参照して詳細に説明する。
【００１１】
図２〜図４Ｃは、本発明の一実施の形態に係る携帯端末装置の構成を示す図である。
【００１２】
本発明の携帯端末装置は、例えば、ＰＤＣ（Personal Digital Cellular）方式のデジタル携帯端末装置であり、音声信号の送受信が可能であり、更に、文字や記号などのキャラクタデータの送受信が可能なものである。
【００１３】
図２において、１０１は上部筐体（第２の筐体）、１０２はキーパッドが設けられている下部筐体（第１の筐体）、１０３は下部筐体１０２のパネル面より一段高く形成された段部であり、この段部１０３内には、下部筐体１０２に対して上部筐体１０１を折りたたみするための図示しないヒンジと骨伝導スピーカ１０４とが収納されている。１０５は段部１０３の頂部に設けた平らな振動面であり、この振動面１０５を加振するように、骨伝導スピーカ１０４が、段部１０３内に取り付けられている。そして、この振動面１０５を使用者の頬骨などに当接することで、骨導音による受話を行う。
【００１４】
上部筐体１０１には、段部１０３を逃げるための切り欠き部１０６が設けられ、切り欠き部１０６を挟むように設けられた取付部１０７が、段部１０３内に設けられたヒンジと組み合わされて、上部筐体１０１を下部筐体１０２に対して回動して、折り畳むことができるように構成している。
【００１５】
段部１０３の下部筐体１０２のパネル面１１２からの高さＨ１０３は、上部筐体１０１の厚みＨ１０１より大きくなっている。
【００１６】
又、１０８は、上部筐体１０１に設けたメイン液晶表示装置、１０９は、上部筐体１０１に設けた受話器、１１０は、下部筐体１０２の上部表面であるパネル面１１２に露出するように設けたキーパッド、１１１は、下部筐体１０２に設けた送話器である。そして、受話器１０９を使用者の耳に当てることで、音声による受話を行う。
【００１７】
本発明の携帯端末装置は、ヒンジを回転軸とし、上部筐体１０１と下部筐体１０２とが開閉することが可能な、所謂、二つ折り端末である。図２は、携帯端末装置の筐体を開いた状態、図３は、携帯端末装置の筐体を閉じた状態を示している。２０１は、上部筐体１０１の裏面に設けたサブ液晶表示装置である。
【００１８】
本実施の形態で示した携帯端末装置は、図２と図３に示した通り、筐体の開状態、閉状態に関わらず、ヒンジを収納した段部１０３の振動面１０５が、外部に露出するとともに上部筐体１０１より上方に突出した構成となっている。
【００１９】
段部１０３の振動面１０５には、振動体としての骨伝導スピーカ１０４が当接して設けられており、携帯端末装置の受話信号に応じて振動面１０５が振動するように構成されている。本発明では、振動体に、圧電素子を使用している。
【００２０】
従って、携帯端末装置の振動面１０５を、例えば、通話者の頬骨などに当接することによって、骨伝導方式により受話が可能になる。
【００２１】
次に、図４Ａ〜図４Ｃを用いて、携帯端末装置の使用形態について説明する。
【００２２】
図４Ａは、通常の携帯端末装置と同様に、開状態において、受話器１０９を使用者の耳に当てて通話をおこなっている様子を示している。受話器１０９は、例えば、ボイスコイルを用いたダイナミック型であり、空気振動を発生させるものである。比較的静かな環境下では、このようなスタイルでの通話となる。
【００２３】
図４Ｂは、開状態において、段部１０３に設けられた振動面１０５を、使用者の頬骨に当接させて、通話している状態を示している。このように、図４Ａとほとんど変わらないスタイルで、骨伝導スピーカ１０４を用いた受話が可能になる。これより、受話器１０９による受話の途中で、骨伝導スピーカ１０４を用いた骨導音による受話に切り替えることが可能になる。したがって、通話中に周囲の騒音が大きくなり、通常の受話器１０９による通話が困難になった時点で、直ちに骨伝導スピーカ１０４を用いた通話に切り替えることが可能である。
【００２４】
図４Ｃは、携帯端末装置を閉じた閉状態で通話する場合を示している。この場合も、図４Ｂと同様に、骨伝導スピーカ１０４を用いた受話が可能である。
【００２５】
このように、本発明の携帯端末装置によれば、骨伝導スピーカ１０４の振動面１０５を常に露出するように構成することで、筐体の開閉状態に制約されることなく、受話器１０９を用いた通話中でも、必要に応じて骨伝導による受話が可能になる。
【００２６】
なお、上記説明では、振動体に圧電素子を使う例を示したが、受話信号に応じて振動させる骨伝導スピーカ１０４であれば、特に限定するものではなく、ボイスコイルなどの電磁駆動型のアクチュエータなどでも良い。また、ここでは回転軸が一つの二つ折り端末で説明したが、回転軸を二つ以上有するようなヒンジを搭載した携帯端末装置でもよい。
【００２７】
又、段部１０３の高さは、上部筐体１０１の厚みより大であるようにしたが、これに限らず、振動面１０５が通話者の頬骨等に当接すれば、段部１０３の高さを、上部筐体１０１の厚みと同じに設定してもよい。
【００２８】
このように、本実施の形態によれば、通話中でもスピーディに骨伝導スピーカを用いた通話に切り替えることが出来る。また、本実施の形態によれば、通常の通話している状態、及び通常の通話をしていない上部筐体と下部筐体とを折り畳んだ状態の両方において骨伝導スピーカを用いた通話を行うことができるので、使い勝手を向上させることができる。
【００２９】
なお、本実施の形態において、上部筐体と下部筐体とをヒンジを介して回動させて折りたたむことにより、上部筐体と下部筐体とが図３のように重なり合うこととしたが、これに限らず、上部筐体を横方向にスライドさせる等により可動させて上部筐体と下部筐体とが重なり合うようにしても良い。また、本実施の形態において、段部１０３を逃げるために切り欠き部１０６を設けたが、これに限らず、段部１０３を逃げるための窓穴を設ける等、段部１０３を逃げるための任意の手段を用いることができる。
【００３０】
本明細書は、２００４年１２月２日出願の特願２００４−３４９７８２に基づく。この内容はすべてここに含めておく。
【産業上の利用可能性】
【００３１】
本発明は、特に、折りたたみ可能な携帯端末装置に用いるのに好適である。
【図面の簡単な説明】
【００３２】
【図１】従来の携帯端末装置を示す斜視図
【図２】本発明の実施の形態に係る携帯端末装置の筐体を開いた状態を示す斜視図
【図３】本発明の実施の形態に係る携帯端末装置の筐体を閉じた状態を示す斜視図
【図４Ａ】本発明の実施の形態に係る携帯端末装置の使用状態を説明する図
【図４Ｂ】本発明の実施の形態に係る携帯端末装置の使用状態を説明する図
【図４Ｃ】本発明の実施の形態に係る携帯端末装置の使用状態を説明する図
【手続補正３】
【補正対象書類名】図面
【補正対象項目名】全図
【補正方法】変更
【補正の内容】
【図１】
2006059679.tif 000008
【図２】
2006059679.tif 000009
【図３】
2006059679.tif 000010
【図４Ａ】
2006059679.tif 000011
【図４Ｂ】
2006059679.tif 000012
【図４Ｃ】
2006059679.tif 000013
【国際調査報告】
2006059679.tif 000014
2006059679.tif 000015
2006059679.tif 000016
2006059679.tif 000017